(57)【要約】  【課題】  簡便に素早く液体を適温まで冷却できる哺乳瓶冷却器を提供する。  【解決手段】  氷や水などの保冷体９を収納する冷却筒４に、哺乳瓶Ａを保持する哺乳瓶台３を設け、哺乳瓶台または、冷却筒、または哺乳瓶台と冷却筒を回転体２とし、哺乳瓶内部の液体の冷却を促進する。さらに、回転体をクランク軸やモータ、ゼンマイで回転させ、タイマーで停止する。また、電子センサーで適温になった時に音声やオルゴール音で知らせる。【選択図】  図１
2015033636.tif 000002
【特許請求の範囲】
【請求項１】
哺乳瓶を覆う冷却筒を有する哺乳瓶冷却器であって、
冷却筒内に哺乳瓶を保持する哺乳瓶台を備え、氷や水などの冷却媒体を収納する空間を設けたことを、
を特徴とする哺乳瓶冷却器。
【請求項２】
請求項１に記載の哺乳瓶冷却器であって、
前記哺乳瓶台を回転する回転体とし、
前記回転体の回転に伴って、前記哺乳瓶台に保持された哺乳瓶が回転するよう形成されていること
を特徴とする哺乳瓶冷却器。
【請求項３】
請求項１に記載の哺乳瓶冷却器であって、
前記冷却筒を回転する回転体とし、
前記回転体の回転により、哺乳瓶台の保持された哺乳瓶周辺の冷却媒体が回転するよう形成されていること
を特徴とする哺乳瓶冷却器。
【請求項４】
請求項２から３の何れか一項に記載の哺乳瓶冷却器であって、
前記哺乳瓶台または、回転体は、クランクを回転させることで回転するよう形成されていること
を特徴とする哺乳瓶冷却器。
【請求項５】
請求項２から３の何れか一項に記載の哺乳瓶冷却器であって、
前記回転体は、モータによって回転するよう形成されていること
を特徴とする哺乳瓶冷却器。
【請求項６】
請求項２から３の何れか一項に記載の哺乳瓶冷却器であって、
前記回転体は、ゼンマイに蓄力させることで回転するよう形成されていること
を特徴とする哺乳瓶冷却器。
【請求項７】
請求項２から６の何れか一項に記載の哺乳瓶冷却器であって、
前記回転体が変速的に回転するよう形成されていること
を特徴とする哺乳瓶冷却器。
【請求項８】
請求項２または、請求項５の何れか一項に記載の哺乳瓶冷却器であって、
前記回転体の回転を一定時間で停止させるタイマーを備えるよう形成されていること
を特徴とする哺乳瓶冷却器。
【請求項９】
請求項２から８の何れか一項に記載の哺乳瓶冷却器であって、
前記回転体の回転中に、音声を発生させるよう形成されていること
を特徴とする哺乳瓶冷却器。
【請求項１０】
請求項９に記載の哺乳瓶冷却器であって、
前記音声は、オルゴール機構によるオルゴール音であること
を特徴とする哺乳瓶冷却器。
【請求項１１】
請求項１から１０の何れか一項に記載の哺乳瓶冷却器であって、
温度センサをさらに備え、内部の液体が所定の温度まで冷却された場合に通知するよう形成されていること
を特徴とする哺乳瓶冷却器。
【発明の詳細な説明】
【技術分野】
【０００１】
本発明は、哺乳瓶などの液体を冷ます器具に関する。
【背景技術】
【０００２】
乳児に飲ませる粉ミルクを溶かす温度は、以前は４０〜６０℃のお湯を使うのがよいとされてきた。しかしながら最近、乳児の健康上の問題から溶かすお湯の温度の基準が変わってきている。平成１９年に、ＷＨＯ（世界保健機関）とＦＡＯ（国連食料農業機関）から発表された「乳児用調製粉乳の安全な調乳、保存及び取り扱いに関するガイドライン」によれば、「お湯を沸騰させた後、７０℃以上の状態で粉ミルクを溶かすようにする」と指摘されている。これは、最近の研究で乳児に有害な細菌が粉ミルクの中で生き残り、それらの細菌によって感染症が引き起こされる可能性があることがわかったからである。
【０００３】
しかしながら、７０℃以上のお湯で溶かした粉ミルクを冷やすのは大変である。一般的な冷却方法としては、流水等を哺乳瓶全体に万遍なく当てる方法があるが、比較的早く冷える半面、流水で行うため水を多量に必要としたり、特に冬場は冷水で手が冷えたりするため、哺乳の度に行うのは大変である。他の方法としては、冷却水の入った容器に入れて振る方法等が考えられるが、氷を利用しなければ時間がかかったり、逆に氷を入れすぎると冷やしすぎたりする可能性があり、調節が難しい。
また、７０℃以上の温度で粉ミルクを溶くには、哺乳瓶の温めなどを考えると８０℃のお湯を扱う必要がある。これは手で持つには熱く、人肌に冷やすには時間が掛かってしまう。
【０００４】
そこで、例えば特許文献１には、冷却筒内に冷却材と温度センサーを設け、外部の液晶温度計で温度を知らせる哺乳瓶の温度センサー内蔵冷却装置が開示されている。
【０００５】
また、特許文献２には、低圧炭酸ガスを噴射して冷却する冷却装置付哺乳瓶が開示されている。
さらに、特許文献３には、氷と水を入れる外側容器と、それに適応してその中に少なくとも一部が入るような内側容器から成る冷却用装置が開示されているが、予め定まった大きさと形の飲料瓶を密閉して冷やすものである。また、特許文献３には、氷と水で浸した桶状体に飲料容器を横に配し、ローラーで回転しながら飲料容器を冷やすものであるが、飲料容器の頭まで浸すものである。
【先行技術文献】
【特許文献】
【０００６】
【特許文献１】実用新案公開平６−５５６４２号
【特許文献２】実用新案公開平６−１７７４０号
【特許文献３】特表２００５−５３６７０５
【特許文献４】実用新案登録第３０７４３９４号
【０００７】
しかしながら、哺乳瓶の粉ミルクを溶き、早急に体温付近にさます必要がある。特に夜中にミルクを欲しがって泣く乳児に対しては、短時間で適温にすることが重要視される。上記のような方法では、冷却にある程度の時間が掛かる可能性がある。また、夜中などは暗い中で作業をすることが多いため、適温の確認を目ですることが難しい。
【０００８】
さらに、特許文献３には、氷と水を入れる外側容器と、それに適応してその中に少なくとも一部が入るような内側容器から成る冷却用装置が開示されているが、予め定まった大きさと形の飲料瓶を密閉して冷やすものであるが大がかりな作業となるとともに、回転がないため短時間で冷却は望めない。また、特許文献３には、氷と水で浸した桶状体に飲料容器を横に配し、ローラーで回転しながら飲料容器を冷やすものであるが、飲料容器の頭まで浸すものであり、哺乳瓶の場合において乳首部分が水に浸り不衛生であり使用できない。
このように、冷却に際して煩雑な手順を要求することは、使用頻度の高い哺乳器具としては望ましくない。また、哺乳期間が約１年程度であることを考えると、高価な器具を準備することは躊躇されるし、本体を衛生的に保つために洗浄し易さや、冷却時の衛生管理も大切な要素である。よって、手間が掛からず短時間で簡単に適温にする簡単な冷却装置が望まれている。
【発明の概要】
【発明が解決しようとする課題】
【０００９】
そこで本発明は、簡便に素早く衛生的で安価に液体を適温まで冷却できる哺乳瓶冷却器を提供することを目的とする。
【課題を解決するための手段】
【００１０】
上記課題を解決するために、本発明に係る哺乳瓶冷却器は、哺乳瓶を覆う冷却筒を有することを特徴とする。
【発明の効果】
【００１１】
本発明によれば、簡便に素早く衛生的で家庭の氷などを利用し安価に液体を適温まで冷却できる哺乳瓶冷却器を提供できる。
【図面の簡単な説明】
【００１２】
【図１】本発明の第一の実施形態に係る哺乳瓶冷却器１の断面図である。
【図２】本発明の第二の実施形態に係る哺乳瓶冷却器１ａの断面図である。
【図３】本発明の第三の実施形態に係る哺乳瓶冷却器１bの断面図である。
【図４】本発明の第四の実施形態に係る哺乳瓶冷却器１cの平面図である。
【図５】本発明の第三の実施形態に係る変速部の説明図である。
【図６】本発明の第四の実施形態に係る回転部の説明図である。
【図７】本発明の第一の実施形態に係る変形例の哺乳瓶冷却器１の断面図である。
【図８】本発明の実施形態に係る哺乳瓶の巻き付け具を付けた説明図である。
【発明を実施するための形態】
【００１３】
本発明の実施の形態について、以下、図に基づいて説明する。
【００１４】
＜第一の実施形態＞
図１は、本発明の第一の実施形態に係る哺乳瓶冷却器１の断面図である。
図１に示すように、本発明の一態様に係る哺乳瓶冷却器１は、冷却筒４内に哺乳瓶Ａを保持する哺乳瓶台３を備え、氷や水などの冷却媒体９を収納する空間を設けたものを示す。哺乳瓶Ａは、冷却筒４内に配した氷や水などの冷却媒体９により哺乳瓶Ａの内部の液体を冷却するものである。
【００１５】
また、哺乳瓶台３を回転する回転体２としたものである。回転体２は、哺乳瓶台３の下部に回転軸１１にベアリング６を設け、哺乳瓶Ａの上部を手１０で持ち哺乳瓶Ａを回わすことにより、哺乳瓶台３と一緒に哺乳瓶が回転する。このように回転体２を回転することにより、哺乳瓶Ａの内部の液体が程良く徐々に回転流動し、哺乳瓶Ａと液体との間に境界層が生じ難くなるため、熱交換効率が増大し、内部の液体は速やかに冷却される。
哺乳瓶台３は、哺乳瓶の下部を囲む形状とし、冷却筒１は哺乳瓶Ａの頭部を残し、哺乳瓶Ａを覆う底の付いた円筒状としている。ここでは、回転軸１１と哺乳瓶台の軸心を同一としているが、哺乳瓶の回転を変心することにより哺乳瓶の内部の液体の攪拌や冷却筒内の保冷体の攪拌を促しやすくする。
【００１６】
このように、液体の自然な対流による熱伝達に依存すると冷却時間を要するところを哺乳瓶Ａごと回転させることで、内部の液体も適度に撹拌されて効率的な熱交換が促進される。これにより利用者は、手早く、簡便に液体を冷却することができる。保冷体は氷や水以外にゲル状の保冷材、蓄熱材などを袋に封入したものや、カプセル状、マイクロカプセル化したものを使用してもよい。また、回転台を厚めな金属で重く形成する事により、回転を持続させることができる。
【００１７】
なお、本冷却具は上記に限らず、多くの代替物、修正および変形例が当業者にとって明らかである。
【００１８】
例えば、冷却筒４の表面には、塗料や発色処理、植毛処理を施したり、布や皮などを張ったりするなどして、美観を高めてもよい。哺乳瓶Ａに対し回転体２のみが回転してしまうことを防ぐため、回転体１２の開口縁部に樹脂等の素材で形成した輪状の滑り止めを設けてもよい。また、ベアリングはスラスト・ボールベアリングが有効である。
【００１９】
＜第二の実施形態＞
図２は、本発明の第二の実施形態に係る哺乳瓶冷却器１ａの断面図である。図２に示すように、哺乳瓶冷却器１ａは、冷却筒４ａの下部に回転台５を設け、回転台５に設けた把手１２を回すことによりクランク１３が歯車１４，１４ａを介し回転軸１１に動力を伝え、歯車１５を介し、冷却筒４ａの下部に設けた歯車１５ａにより冷却筒４ａを回転する構造とした回転体２ａを示す。また、冷却筒４ａの内部に哺乳瓶台３ａを設け、回転台５とはめ込み部８で哺乳瓶台３ａを取り付けたものを示す。哺乳瓶台３ａには、例えば板バネを利用した哺乳瓶Ａの底を支える留め具４１を設け哺乳瓶Ａを押し込むことにより板バネの弾力で固定しやすい様にしたものである。氷や水などの保冷媒体を入れた回転体２ａは、哺乳瓶Ａの周りを回転し、哺乳瓶Ａの内部の液体の冷却を促進する。なお、回転クランクの回転方向によって、正回転、逆回転を任意で変更可能である。また、ここでは冷却筒４ａの軸心は軸１１に同じであるが、変心させることにより、保冷媒体の攪拌を促してもよい。
【００２０】
＜第三の実施形態＞
図３は、本発明の第三の実施形態に係る哺乳瓶冷却器１ｂの断面図である。以下、上記実施形態と同様の構成を有するものには同様の記号を付し、詳細な説明は省略する。
【００２１】
哺乳瓶冷却器１ｂは、哺乳瓶Ａを回転する回転体２ｂと冷却筒４ｂを回転台５ａに載置したもので、上部に蓋７を配す。蓋７は回転体２ｂより保冷媒体が回転により、外に飛び出さない様にしたり、哺乳瓶が傾かない様にするものである。回転台５ａには内部に電池３２とモータ３１や電子回路を配し、ＳＷ３０により回転体２ｂの回転を起動、停止するものである。
【００２２】
また、図示しないが、上記クランクやモータをゼンマイなどに置き換えて駆動してもよい。
【００２３】
このような構成によれば、哺乳瓶Ａの回転により、内部の液体は適度に撹拌されて効率的な熱交換が推進される。また、ゼンマイよる蓄力が回転エネルギーとなるため、利用者は、冷却が終わるまでかかりきりとなることがなく、他の作業と同時に行うことができる。
【００２４】
なお、ゼンマイの回転に合わせてオルゴール３３等で音楽が流れるような構成としてもよい。これにより、利用者は冷却が終わったことを音で知ることができる。
【００２５】
回転体２ｂの撹拌をより大きくするために、図５にに示すような変速部２０を用いてもよい。図５は、本発明の第三の実施形態の係る変速部２０の説明図である。
【００２６】
具体的には、図５に示す様に回転軸１１の周囲に偏心した円板を備えたカム２１を設けることで、カム２１と接する押さえバネ２２のバネ力が周期的に変化する。これにより、押さえバネ２２はカム２１を周期的に加速および減速させ、回転軸１１を変速的に回転させる。なお、多段の歯車を設けた際には、どの歯車にこのような機構を設けるかによって、変動周期を変化させることもできる。これにより、内部の液体が周囲と一体になり回転することを防止し、液体との間に境界層が生じ難くしはより大きく撹拌されて、熱交換がより効率的に促進される。これにより利用者は、手早く液体を冷却することができる。
【００２７】
＜第四の実施形態＞
図４は、本発明の第四の実施形態に係る哺乳瓶冷却器１ｃの平面図である。図４に示すように、哺乳瓶冷却器１ｃは、回転台５ｂに回転体２ｃを載置したものである。回転体２ｃは、冷却筒４ｃの内部に哺乳瓶台３ａを設けたもので、例えば流星歯車機構４０を設けて冷却筒４ｃと、哺乳瓶台３ａがそれぞれに反対方向や、回転数を変えて回転するものを示す。また、冷却筒４ｃに回転のためのＳＷ、電池、モータ、駆動装置を内蔵したものである。さらに、哺乳瓶Ａの下部付近に温度センサー３４を設けることにより適温を知らせるものである。温度センサー３４は冷却筒４ｃと固定され、哺乳瓶の中心の底を滑りながら温度計測し、適温を知らせるだけでなく、回転を停止する事により、過冷却を防止する。
【００２８】
回転機構は上記に限らず、モータ等を変則的に回転速度を変化させたり、正転、反転を繰り返したりを利用して自動的に撹拌を促進する構成としてもよい。
【００２９】
図６は、本発明の第四の実施形態に係る回転部の説明図である。流星歯車機構４０を使用した回転体２ｃの説明を示す。冷却筒４ｃの底に内歯車１８を設けて太陽歯車１６を固定し軸１１の回転で流星キャリア１７を回し流星歯車１９を介して内歯車１８を回し冷却筒４ｃを回転するものである。また、流星キャリア１７には哺乳瓶台３ａを設けている。これにより軸１１を回転すると哺乳瓶台３ａが回転すると共に、反対方向に冷却筒４ｃが回転する。これにより、より哺乳瓶Ａ内の流体の攪拌と、保冷体の攪拌ができ、効率的に冷却ができる。また、内歯車１８を固定し軸１１を回転すると、軸と流星キャリア１７が回転する。軸１１に哺乳瓶台３ａを固定し、流星キャリア１７に冷却筒を固定すると哺乳瓶台３ａと冷却筒４ｃが逆方向にそれぞれが回転する。このように、内歯車、流星キャリア、太陽歯車のいずれかを固定することによりそれぞれの回転が変化することを利用して、冷却筒、哺乳瓶台の回転の組み合わせを選ぶことができる。
【００３０】
＜第一の実施形態の変形例＞
図７は、本発明の第一の実施形態に係る変形例の哺乳瓶冷却器１の断面図である。図７は、図１の冷却筒４の底面形状を略二等辺三角形形状とし哺乳瓶台３を二等辺三角形の頂角側に設け、上部にヒンジ４２による開閉のできる蓋７を設けたものを示す。冷却体は二等辺三角形の底角側に多く収納し、哺乳瓶を例えば保冷媒体である水が囲む様にすると共に、氷などの固形物が回らない様に仕切４３を設けてある。哺乳瓶台３の下には軸１１とベアリング６が設けられ回転をスムーズにする。また、回転をよりスムーズに継続して回転させるようにするために哺乳瓶台３の一部や全体を例えばステンレス綱製の台を設け弾み車とすることにより回転を持続することができる。さらに、歯車と組み合わせた弾み車を設けてもよい。
【００３１】
ここでは、手で回す図を示してあるが、上記記載の様にゼンマイ、モータなどを設けて回転してもよいものである。また、回転台に押し込むことによりゼンマイを巻く機構を設け、回転を促してもよい。
図８は、本発明の実施形態に係る哺乳瓶の巻き付け具を付けた説明図である。図８は、冷却を促進するために哺乳瓶Ａに例えばアルミニュームなどの熱伝導製の良い金属を巻き付け具４４として巻き付け、冷却効果を高めたものを示す。巻き付け具４４は、半円筒状の金属板を哺乳瓶に取り付けたものを示し、片側にヒンジ４２を設け、反対側に留め金４５、表面に放熱フィン４６を設けている。これにより哺乳瓶台に取り付けられた哺乳瓶の熱を、熱伝導の良く放熱面を増やした巻き付け具４４を通し冷却筒内の冷却媒体に拡散しやすくしたものである。巻き付け具４４は哺乳瓶に密着させることが重要である。また、冷却媒体の攪拌を促進する。
【符号の説明】
【００３２】
１・１ａ・１ｂ・１ｃ：哺乳瓶冷却器、２、２ａ、２ｂ、２ｃ、２ｄ、２ｅ：回転体、３、３ａ：哺乳瓶台、４・４ａ・４ｂ・４ｃ：冷却筒、５・５ａ・５ｂ：回転台、６：ベアリング、７：蓋、８：はめ込み部、９：冷却媒体、１０：手、１１：軸、１２：、１３：クランク、１４・１４ａ・１４ｂ：歯車、１５・１５ａ・１５ｂ：歯車、１６：太陽歯車、１７：流星キャリア、１８：内歯車、１９：流星歯車、２０：変速部、２１：カム、２２：バネ、３０：ＳＷ、３１：モータ、３２：電池、３３：オルゴール、３４：温度センサー、４０：流星歯車機構、４１：留め具、４２：ヒンジ部、４３：仕切、４４：巻き付け具、
４５：留め金、４６：放熱フィン、ａ・ｂ・ｃ・ｄ：矢印、Ａ：哺乳瓶
【図１】
2015033636.tif 000003
【図２】
2015033636.tif 000004
【図３】
2015033636.tif 000005
【図４】
2015033636.tif 000006
【図５】
2015033636.tif 000007
【図６】
2015033636.tif 000008
【図７】
2015033636.tif 000009
【図８】
2015033636.tif 000010